(57)【特許請求の範囲】
【請求項１】
リンク部材を略四辺形状にリンク結合した複数の四辺リンクを放射状に組み合わせて折畳み自在にトラス結合した展開トラスと、
この展開トラスを折畳み展開する駆動手段と、
前記展開トラスの隣接する四辺リンクの先端側リンク部材間の対角線間にそれぞれ中間部を交差させて張設される複数対のワイヤ部材と、
中間部が前記一対のワイヤ部材にそれぞれ支持されるものであって、一端が前記四辺リンクのリンク部材の一方端にリンク結合され、他端が前記ワイヤ部材の前記交差点より延出された部位で該ワイヤ部材に支持される一対のロッド部材と
を具備したことを特徴とする宇宙展開構造体。
【請求項２】
リンク部材を略四辺形状にリンク結合した複数の四辺リンクを放射状に組み合わせて折畳み自在にトラス結合した展開トラスと、
この展開トラスを折畳み展開する駆動手段と、
この展開トラスを複数個、折畳み展開自在に組み合わせ結合したトラス結合体と、
前記複数の展開トラスにそれぞれ複数対、張設されるものであって、隣接する四辺リンクの先端側リンク部材間の対角線間にそれぞれ中間部を交差させて張設される一対のワイヤ部材と、
中間部が前記一対のワイヤ部材に支持されるものであって、一端が前記四辺リンクのリンク部材の一方端にリンク結合され、他端が前記ワイヤ部材の前記交差点より延出された部位で該ワイヤ部材に支持される一対のロッド部材と、
前記隣接する展開トラスの対向するロッド部材間を連結するロッド連結部材とを具備したことを特徴とする宇宙展開構造体。
【請求項３】
さらに前記一対のロッド部材の他端に所定の間隔を有して前記ワイヤ部材に支持され、端部が隣接する四辺リンクの先端側リンク部材の他方端にリンク結合される一対の第２のロッド部材を具備したことを特徴とする請求項１又は２記載の宇宙展開構造体。
【請求項４】
前記ロッド部材は、ワイヤ部材の収容される凹部が形成され、この凹部に前記ワイヤ部材が収容されて該ワイヤ部材の中間部を所定間隔に位置決め固定してなることを特徴とする請求項１記載の宇宙展開構造体。
【請求項５】
前記一対のロッド部材は、他端が交差点より前記四辺リンクの先端側リンク部材の長さ寸法の約１/２だけ延出させることを特徴とする請求項１乃至４のいずれか記載の宇宙展開構造体。
【請求項６】
前記展開トラスは、多角錐台形状を有することを特徴とする請求項１乃至５のいずれか記載の宇宙展開構造体。
【発明の詳細な説明】
【０００１】
【発明の属する技術分野】
この発明は、例えば人工衛星等に搭載されてなるパラボラアンテナの支持構造物や大型宇宙構造物に用いられる宇宙展開構造体に関する。
【０００２】
【従来の技術】
宇宙空間に大型の構造物を構築する場合、現在ではスペースシャトルや宇宙ステーション・ミールに於いて宇宙飛行士が作業を行う方式が採用されているが、これらの方式では人的被害を考慮する必要性があると共にコストも高くつくという欠点を有し、また作業期間の制約や構築構造物サイズの制約を受けることもあり得る。
【０００３】
このため、昨今では、宇宙空間に大型構造物を構成する方式として、モータ等の駆動力によって展開構造体を折畳み状態から展開させて宇宙展開構造体を形成する構成のものが国内外で研究されている。
【０００４】
このような宇宙展開構造体としては、既に特公平８−２５５５４８７号や特公平８−２５６７１６４号同じく特公平８−２５６７１９２号等が知られている。
【０００５】
ところが、上記宇宙展開構造体にあっては、いずれもロケットへの搭載性を考慮して折り畳みによる収納効率の向上を目指したものや軽量化のために構成部材の数を減少させると言ったような単一性能の向上を目的として構成されたものであり、その折畳み展開動作の信頼性の要請を満足したうえで、その重量の要請を満足することが困難なものである。
【０００６】
例えば、具体的には、宇宙展開構造体を構成する展開トラスをリンク部材を用いて多角錐台形状のトラス構造にトラス結合して、そのリンク部材のリンク結合部間にワイヤ部材を張設することにより、軽量化を保ったうえで、展開状態における堅牢化を実現する方法が採用されている。
【０００７】
しかしながら、上記宇宙展開構造体では、軽量化と共に、堅牢化の要請を満足することが可能であるが、その折畳み状態において、リンク部材のリンク結合部間に張設したワイヤ部材が大きく撓んで絡み合い、その展開動作に支障を及ぼして、信頼性の高い折畳み展開に悪影響を及ぼすという問題を有する。
【０００８】
【発明が解決しようとする課題】
従来の宇宙展開構造体では、いずれのものも、ワイヤ部材をトラス骨組み材として用いた展開トラスの場合、その折畳み状態で、ワイヤ部材が絡み合い展開動作に悪影響を及ぼすという問題を有する。
【０００９】
この発明は上記事情に鑑みてなされたもので、軽量化と共に、堅牢化の促進を図ったうえで、信頼性の高い高精度な折畳み展開動作を実現し得るようにした宇宙展開構造体を提供することを目的とする。
【００１０】
【課題を解決するための手段】
この発明は、リンク部材を略四辺形状にリンク結合した複数の四辺リンクを放射状に組み合わせて折畳み自在にトラス結合した展開トラスと、この展開トラスを折畳み展開する駆動手段と、前記展開トラスの隣接する四辺リンクの先端側リンク部材間の対角線間にそれぞれ中間部を交差させて張設される複数対のワイヤ部材と、中間部が前記一対のワイヤ部材にそれぞれ支持されるものであって、一端が前記四辺リンクのリンク部材の一方端にリンク結合され、他端が前記ワイヤ部材の前記交差点より延出された部位で該ワイヤ部材に支持される一対のロッド部材とを備えて宇宙展開構造体を構成した。
【００１１】
上記構成によれば、展開トラスは、その四辺リンクの折畳み状態で、ワイヤ部材がロッド部材により四辺リンクの先端側リンク部材の一方端に位置規制されて保護され、四辺リンクが展開されると、ワイヤ部材が四辺リンクの先端部間に張設されてリンク部材間の堅牢化を図る。これにより、軽量化を実現したうえで、展開状態における堅牢化が図れ、しかも、信頼性の高い高精度な折畳み展開動作を実現することが可能となる。
【００１２】
また、この発明は、リンク部材を略四辺形状にリンク結合した複数の四辺リンクを放射状に組み合わせて折畳み自在にトラス結合した展開トラスと、この展開トラスを折畳み展開する駆動手段と、この展開トラスを複数個、折畳み展開自在に組み合わせ結合したトラス結合体と、前記複数の展開トラスにそれぞれ複数対、張設されるものであって、隣接する四辺リンクの先端側リンク部材間の対角線間にそれぞれ中間部を交差させて張設される一対のワイヤ部材と、中間部が前記一対のワイヤ部材に支持されるものであって、一端が前記四辺リンクのリンク部材の一方端にリンク結合され、他端が前記ワイヤ部材の前記交差点より延出された部位で該ワイヤ部材に支持される一対のロッド部材と、前記隣接する展開トラスの対向するロッド部材間を連結するロッド連結部材とを備えて宇宙展開構造体を構成した。
【００１３】
上記構成によれば、トラス結合体は、その複数の展開トラスの折畳み状態で、ワイヤ部材がロッド部材により四辺リンクの先端側リンク部材の一方端に位置規制されて保護され、四辺リンクが展開されて展開トラスが展開されると、ワイヤ部材が四辺リンクの先端部間に張設されてリンク部材間の堅牢化を図る。これにより、その軽量化を保ったうえで、展開状態における堅牢化が図れ、しかも、信頼性の高い高精度な折畳み展開動作を実現することが可能となる。
【００１４】
また、この発明は、前記一対のロッド部材の他端に所定の間隔を有して前記ワイヤ部材に支持され、端部が隣接する四辺リンクの先端側リンク部材の他方端にリンク結合される一対の第２のロッド部材を備えて構成した。
【００１５】
これによれば、ワイヤ部材は、その折畳み状態において、ロッド部材及び第２のロッド部材の双方で位置決めされることにより、さらに絡み合いの防止の促進が図れる。
【００１６】
【発明の実施の形態】
以下、この発明の実施の形態について、図面を参照して詳細に説明する。
【００１７】
図１は、この発明の一実施の形態に係る宇宙展開構造体を示すもので、放射状リブによる展開トラス構造を用いたアンテナ反射鏡の一例を示す。
【００１８】
例えばこのアンテナ反射鏡は、ほぼ６角柱形状であるが、パラボラアンテナ鏡面などの曲面形状を形成する場合には、６角柱の上面と下面の大きさが異なり、本実施例では下面側６角形状が上面側６角形状よりも大きくなる６角錐台形状となっている。そして、このアンテナ反射鏡を構成する宇宙展開構造体は、メッシュ１１を鏡面形状に保持するワイヤ１２と、該ワイヤ１２及び上記メッシュ１１を支持する６本の支持柱１３からなる反射鏡面部１４と、反射鏡面部１４を支持する展開トラス２０で構成される。
【００１９】
図２は、上記展開トラス２０を示すもので、例えばリンク部材を略四辺形状にリンク結合した６個の四辺リンク２１ａ，ｂ，ｃ，ｄ，ｅ，ｆが、中央縦部材２２を共有する形で放射状に組み合わされて、６角錐台形状にトラス結合される。
【００２０】
この展開トラス２０の外側の縦部材２４ａ，ｂ，ｃ，ｄ，ｅ，ｆの外側には、モジュール結合ヒンジ２５ａ，ｂ，ｃ，ｄ，ｅ，ｆと２６ａ，ｂ，ｃ，ｄ，ｅ，ｆが取り付けられている。そして、これらモジュール結合ヒンジ２５ａと２６ｆ及び２５ｆと２６ａ、２５ｂと２６ａ及び２５ａと２６ｂ、２５ｃと２６ｂ及び２５ｂと２６ｃ、２５ｄと２６ｃ及び２５ｃと２６ｄ、２５ｅと２６ｄ及び２５ｄと２６ｅ、２５ｆと２６ｅ及び２５eと２６ｆの間には、一対のワイヤ部材９０、９１がそれぞれ交差されて張設される。
【００２１】
これら６対のワイヤ部材９０、９１は、略同様に熱膨張率の殆どないシリコン材等が用いられ、その両端が図３に示すように回動部材９０１、９１１を介してモジュール結合ヒンジ２５ａ，ｂ，ｃ，ｄ，ｅ，ｆと２６ａ，ｂ，ｃ，ｄ，ｅ，ｆに回動自在に結合されて略対角線上に張設される。そして、これら６対のワイヤ部材９０、９１は、その各交差点ｘ１、ｘ２、ｘ３、ｘ４、ｘ５、ｘ６において相互間が固定される（図２参照）。
【００２２】
また、上記ワイヤ部材９０、９１には、それぞれワイヤ位置規制用のロッド部材９２、９３がその端部を、モジュール結合ヒンジ２５ａ，ｂ，ｃ，ｄ，ｅ，ｆから交差点ｘ１，ｘ２，ｘ３，ｘ４，ｘ５，ｘ６よりモジュール結合ヒンジ２６ａ，ｂ，ｃ，ｄ，ｅ，ｆ方向に延出させた状態で組み付けられる。このロック部材９２、９３の交差点ｘ１，ｘ２，ｘ３，ｘ４，ｘ５，ｘ６からの延出寸法は、例えば縦部材２４ａ，ｂ，ｃ，ｄ，ｅ，ｆの長さ寸法をｈとすると、略同様に約ｈ/2に設定される。この延出寸法としては、これに限ることなく、設定することも可能である。
【００２３】
上記ロッド部材９２、９３は、例えばカーボン繊維強化プラスチック（ＣＦＰＲ）等の複合材料で形成され、その各基端が上記回動部材９０１、９１１の一方にそれぞれ支持されてモジュール結合ヒンジ２５ａ，ｂ，ｃ，ｄ，ｅ，ｆに回動自在に取り付けられる。そして、ロッド部材９２、９３には、図３に示すように、例えば断面が略凹状の収容部９２１、９３１が形成され、この収容部９２１、９３１には、上記ワイヤ部材９０、９１が収容されて、例えばカプトンテープ等のテープ材９４を用いて所定の間隔に接着固定される。
【００２４】
なお、このロッド部材９２、９３としては、凹状の収容部９２１、９３１を設けた構造に限ることなく、その他、例えば筒状に形成したり、あるいは板状に形成して、ワイヤ部材９０、９１を位置規制するように構成することが可能である。
【００２５】
上記展開トラス２０は、例えば図４に示すように１４個が結合されて所望のトラス結合体３０が形成される。このトラス結合体３０は、複数の展開トラス２０をモジュール結合ヒンジ２５ａ，ｂ，ｃ，ｄ，ｅ，ｆと２６ａ，ｂ，ｃ，ｄ，ｅ，ｆにより回転自在に結合することにより構成され、ブーム１１０を介して図示しない宇宙航行体本体に支持される。
【００２６】
ここで、上記トラス結合体３０を構成する展開トラス２０は、その四辺リンク２１ａ，ｂ，ｃ，ｄ，ｅ，ｆ間に張設される一対のワイヤ部材９０、９１及びロッド部材９２、９３が、図５に示すように隣接する展開トラス２０のワイヤ部材９０、９１のロッド部材９２、９３に対向され、相互のロッド部材９２及び９２、９３及び９３が固定具９５を用いて位置決め固定される（図６参照）。この際、ロッド部材９２、９３から露出されるワイヤ部材９０、９１においても、隣接する展開トラス２０のワイヤ部材９０、９１との間で、略同様に固定するようにしても良い。
【００２７】
なお、上記図５においては、図を分かりやすくするために、隣接する展開トラス２０の一箇所に張設されるワイヤ部材９０、９１及びロッド部材９２、９３のみを図示して説明したが、その他の周辺に張設されるワイヤ部材９０、９１及びロッド部材９２、９３においても、同様に隣接される展開トラス２０のワイヤ部材９０、９１及びロッド部材９２、９３と固定配置される。
【００２８】
上記展開トラス２０は、上記図２に示すように６個の四辺リンク２１ａ，ｂ，ｃ，ｄ，ｅ，ｆの四辺リンク構造を有する。この四辺リンク２１ａ，ｂ，ｃ，ｄ，ｅ，ｆは、図７に示すように中央縦部材２２からメッシュ１１にほぼ沿うように横部材５２、横部材５３がヒンジ５４、５５を介して回転自在に支持されている。また、横部材５２、横部材５３の先には、中央縦部材２２と同じように、ヒンジ５６、５７を介して回転自在なように外側の縦部材２４が支持されている。
【００２９】
なお、上述の６本の支持柱１３は、外側の縦部材２４に接合されるよう構成される。
【００３０】
上記四辺リンク２１ａ，ｂ，ｃ，ｄ，ｅ，ｆは、その中央縦部材２２のヒンジ５４，５５を結ぶ距離と横部材５２の長さの和と、外側の縦部材２４ａ，ｂ，ｃ，ｄ，ｅ，ｆのヒンジ５６，５７を結ぶ距離と横部材５３の長さの和がほぼ等しくなるように構成されている。
【００３１】
また、図７に示すように、中央縦部材２２のシャフト部５８の中心線とヒンジ５５の回転中心の間が離れており、略同様に、外側の縦部材２４のシャフト部５９の中心線とヒンジ５６の回転中心の間が離れるように構成されている。
【００３２】
上記四辺リンク２１ａ，ｂ，ｃ，ｄ，ｅ，ｆの内側には、中央縦部材２２にヒンジ６０を介して回転自在に取り付けられた斜部材６１と、横部材５３にヒンジ６２を介して回転自在に取り付けられた斜部材６３が、互いの端部においてヒンジ６４を介して互いに回転自在になるように取り付けられている。
【００３３】
また、上記中央縦部材２２には、駆動制御部、例えば傘機構を構成する摺動部材７０が中央縦部材２ジ７１、７２が取り付けられる。そして、これらヒンジ７１、７２には、回転自在に２に対して摺動自在に取り付けられ、摺動部材７０と斜部材６１には、それぞれヒンリンク７３が支持されている。リンク７３には、ヒンジ７１，７２を結んだ直線とはずれた位置にヒンジ７４が設けられ、ヒンジ７４によりリンク７３にはリンク７５が回転自在に支持されている。
【００３４】
上記リンク７３と斜部材６１の長さは、中央縦部材２２の半分程度であり、これに対して斜部材６３は、中央縦部材２２の半分と横部材５２の長さの和にほぼ等しくなっている。一方、中央縦部材２２には、摺動部材７０とは別の摺動部材７６が中央縦部材２２に対して摺動自在に取り付けられており、摺動部材７６にはヒンジ７７が取り付けられ、ヒンジ７７により上記リンク７５が回転自在に支持されている。
【００３５】
そして、摺動部材７０と摺動部材７６の間には、圧縮バネ８０が係着されている。
【００３６】
上記圧縮バネ８０が摺動部材７０と摺動部材７６を押し広げるように運動することにより、斜部材６１とリンク７３，７５により構成されたリンク群が自動開傘機構と同様に作用し、摺動部材７０と摺動部材７６が図７中Ａ方向に進むとともに、ヒンジ６４が図７中Ｂ方向に、中央縦部材２２から離れる方向に運動する。
【００３７】
このときの四辺リンク２１ａ，ｂ，ｃ，ｄ，ｅ，ｆのヒンジ６２の位置は、ヒンジ６４の位置に対して、ヒンジ６４から斜部材６３を自由に回転させたときのヒンジ６２の軌跡と四辺リンク２１ａ，ｂ，ｃ，ｄ，ｅ，ｆを自由に運動させたときに横部材５３に取り付けられたヒンジ６２の軌跡の交点に定まるため、本来１自由度である四辺リンク２１ａ，ｂ，ｃ，ｄ，ｅ，ｆの形状は一意に定まる。ここで、ヒンジ６４は、図４中Ｂ方向に移動されると、斜部材６１と斜部材６３が直線に近づくことにより、四辺リンク２１ａ，ｂ，ｃ，ｄ，ｅ，ｆの対角の位置にあるヒンジ６０とヒンジ６２の距離が広がるので、四辺リンク２１ａ，ｂ，ｃ，ｄ，ｅ，ｆが展開運動して、展開トラス２０が展開運動される。
【００３８】
このように上記圧縮バネ８０が摺動部材７０と摺動部材７６を押し広げるように運動すると、例えば図示しない展開駆動部を構成する駆動モータが駆動されてワイヤ機構が駆動され、上記圧縮バネ８０の付勢力を規制して展開トラス２０の展開動作が行われる。
【００３９】
上記構成において、トラス結合体３０は、例えばその展開トラス２０が、それぞれ圧縮バネ８０の展開付勢力に抗して折畳み収容されて例えば宇宙空間に輸送される。この展開トラス２０の折畳み状態において、四辺リンク２１ａ，ｂ，ｃ，ｄ，ｅ，ｆが上述したように折畳み収容されることにより、その周壁に交差させて配設したワイヤ部材９０、９１の張力が緩んだ状態となり、該四辺リンク２１ａ，ｂ，ｃ，ｄ，ｅ，ｆの周囲に撓んだ状態に収容される。
【００４０】
ここで、ロッド部材９２、９３は、図８に示すようにそのワイヤ部材９０、９１の撓みを、その基端から交差点ｘ１，ｘ２，ｘ３，ｘ４，ｘ５，ｘ６よりｈ/２までを規制して、その撓み量を最小限に設定する。この結果、ワイヤ部材９０、９１は、四辺リンク２１ａ，ｂ，ｃ，ｄ，ｅ，ｆの外側の縦部材２４ａ，ｂ，ｃ，ｄ，ｅ，ｆ間に位置規制され、該外側の縦部材２４ａ，ｂ，ｃ，ｄ，ｅ，ｆ等への絡みつきが防止される。
【００４１】
そして、上記展開駆動部が駆動されて上記駆動モータ（図示せず）が駆動されてワイヤ機構（図示せず）が駆動されると共に、上記展開トラス２０の各圧縮バネ８０の規制が解放される。すると、展開トラス２０は、圧縮バネ８０及びワイヤ機構（図示せず）の作用により、摺動部材７０と摺動部材７６が押し広げれらて四辺リンク２１ａ，ｂ，ｃ，ｄ，ｅ，ｆが展開される（図１及び図４参照）。
【００４２】
この際、四辺リンク２１ａ，ｂ，ｃ，ｄ，ｅ，ｆの外側の縦部材２４ａ，ｂ，ｃ，ｄ，ｅ，ｆに張設されるワイヤ部材９０、９１は、それぞれロッド部材９２、９３により折畳み位置から位置規制されながら展開位置に案内される（図８参照）。ここで、トラス結合体３０は、その１４個の展開トラス２０が、その展開状態において、交差して張設される対のワイヤ部材９０、９１の作用により、略６角錐台形状に位置規制されて、それぞれが所望の強度に保たれることにより、軽量化の要求を満足したうえで、全体として堅牢にして強固な構造が確保された状態で、所望の鏡面形状に形成される。
【００４３】
このように、上記宇宙展開構造体は、四辺リンク２１ａ，ｂ，ｃ，ｄ，ｅ，ｆを放射状に組み合わせて折畳み展開自在にトラス結合した展開トラス２０の隣接する四辺リンク２１ａ，ｂ，ｃ，ｄ，ｅ，ｆの外側の縦部材２４ａ，ｂ，ｃ，ｄ，ｅ，ｆ間の対角線上にそれぞれ中間部を交差させて６対のワイヤ部材９０、９１を張設して、その一対のワイヤ部材９０、９１に対して、一端が四辺リンク２１ａ，ｂ，ｃ，ｄ，ｅ，ｆの外側の縦部材２４ａ，ｂ，ｃ，ｄ，ｅ，ｆの一方端に一端がリンク結合され、他端がワイヤ部材９０、９１の交差点ｘ１、ｘ２、ｘ３、ｘ４、ｘ５、ｘ６より延出された部位で該ワイヤ部材９０、９１に支持されるロッド部材９２、９３を取着するように構成した。
【００４４】
これによれば、展開トラス２０は、その四辺リンク２１ａ，ｂ，ｃ，ｄ，ｅ，ｆの折畳み状態で、ワイヤ部材９０、９１がロッド部材９２、９３により四辺リンク２１ａ，ｂ，ｃ，ｄ，ｅ，ｆの外側の縦部材２４ａ，ｂ，ｃ，ｄ，ｅ，ｆの一方端にその弛みが規制されて保護された状態で折畳まれる。そして、ワイヤ部材９０、９１は、四辺リンク２１ａ，ｂ，ｃ，ｄ，ｅ，ｆが展開されると、外側の縦部材２４ａ，ｂ，ｃ，ｄ，ｅ，ｆの先端部間に張設されて四辺リンク２１ａ，ｂ，ｃ，ｄ，ｅ，ｆを放射状に位置規制して、展開トラス２０を堅牢に位置決め保持する。
【００４５】
これにより、トラス結合体３０の軽量化を実現したうえで、展開状態における堅牢化が図れ、しかも、信頼性の高い高精度な折畳み展開動作を実現することができる。
【００４６】
なお、この発明は、上記実施の形態に限ることなく、例えば図９に示すように構成しても良い。
【００４７】
即ち、図９においては、上記ワイヤ部材９０、９１に対して上記一対のロッド部材９２、９３の他端と所定の間隔を有して第２のロッド部材９６、９７を取り付け配置する。この第２のロッド部材９６、９７は、その基端が上記回動部材９０１、９１１の他方にそれぞれ支持されて上記ワイヤ部材９０、９１に対して上記ロッド部材９２、９３と所定の間隙を有して取り付け配置される。
【００４８】
そして、この第２のロッド部材９６、９７には、例えば上記ロッド部材９２、９３と略同様に断面が略凹状の収容部９６１、９７１が形成され、この収容部９６１、９７１には、上記ワイヤ部材９０、９１が収容されて、例えば同様のカプトンテープ等のテープ材７４を用いて所定の間隔に接着固定される。これによれば、展開トラス２０の折畳み状態におけるワイヤ部材９０、９１の弛みの軽減がさらに図れることにより、絡み防止の向上を図ることができる。
【００４９】
また、上記実施の形態では、ワイヤ部材９０、９１を四辺リンク２１ａ，ｂ，ｃ，ｄ，ｅ，ｆのモジュール結合ヒンジ２５ａ，ｂ，ｃ，ｄ，ｅ，ｆと２６ａ，ｂ，ｃ，ｄ，ｅ，ｆ間に直接的に張設してロッド部材９２、９３を沿うように取着するように構成した場合で説明したが、これに限ることなく、例えばこれらワイヤ部材９０、９１とロッド部材９２、９３とを直列状に連結して四辺リンク２１ａ，ｂ，ｃ，ｄ，ｅ，ｆ間に張設するように構成することも可能である。
【００５０】
また、上記実施の形態では、展開トラス２０を連結したトラス結合体３０の隣接する展開トラス２０のロッド部材９２、９３同士を固定具９５を用いて接続するように構成した場合で説明したが、これに限ることなく、沿うように配置される隣接する展開トラス２０の各ワイヤ部材９０、９１の双方を同一のロッド部材を用いて直接的に位置規制するように構成することも可能である。
【００５１】
さらに、上記実施の形態では、複数個、例えば１４個の展開トラス２０を組み合わせたトラス結合体３０に適用した場合で説明したが、これに限ることなく、１個の展開トラス２０を宇宙航行体本体等の支持構体に対して折畳み展開自在に配設する構成においても適用可能である。
【００５２】
また、上記実施の形態では、略６角錐台形状の展開トラス２０に適用した
場合で説明したが、これに限ることなく、略８角形等の略多角錐台形状あるいは略多角柱形状の構造の展開構造物や、各種宇宙機器を含む展開構造物においても適用可能である。
【００５３】
さらに、上記実施の形態では、アンテナ反射鏡の支持構造として用いた場合で説明したが、これに限ることなく、その他、宇宙空間に構築するプラットホーム等の折畳み展開可能に構成される各種の構造物においても適用可能である。
【００５４】
よって、この発明は、上述した各実施の形態に限定されるものではなく、その他、この発明の要旨を逸脱しない範囲で種々の変形を実施できることは勿論である。
【００５５】
【発明の効果】
以上詳述したように、この発明によれば、軽量化と共に、堅牢化の促進を図ったうえで、信頼性の高い高精度な折畳み展開動作を実現し得るようにした宇宙展開構造体を提供することができる。
【図面の簡単な説明】
【図１】この発明の一実施の形態に係る宇宙展開構造体の展開トラスを取り出して示した斜視図である。
【図２】図１の展開トラスを取出して示した斜視図である。
【図３】図１の展開トラスに張設されるワイヤ部材及びロッド部材の取り付け構成を説明するために示した平面図である。
【図４】図１のモジュールを１４個結合して構成したアンテナ反射鏡を示した斜視図である。
【図５】図４のトラス結合体の展開トラスに張設したワイヤ部材及びロッド部材の配線処理を説明するために示した説明図である。
【図６】図５の配線処理の詳細を示した断面図である。
【図７】図１の展開トラスの展開駆動部を説明するために示した平面図である。
【図８】図１の折畳み展開動作を説明するために示した概念図である。
【図９】この発明の他の実施の形態の係る宇宙展開構造体の要部を取り出して示した平面図である。
【符号の説明】
１１…メッシュ。
１２…ワイヤ。
１３…支持柱。
１４…反射鏡面部。
２０…展開トラス。
２１ａ，ｂ，ｃ，ｄ，ｅ，ｆ…四辺リンク。
２２…中央縦部材。
２４ａ，ｂ，ｃ，ｄ，ｅ，ｆ…外側の縦部材。
２５ａ，ｂ，ｃ，ｄ，ｅ，ｆ…モジュール結合ヒンジ。
２６ａ，ｂ，ｃ，ｄ，ｅ，ｆ…モジュール結合ヒンジ。
３０…トラス結合体。
５２、５３…横部材。
５４、５５…ヒンジ。
５６、５７…ヒンジ。
５８、５９…シャフト部。
６０、６２、６４…ヒンジ。
６１、６３…斜部材。
７０、７６…摺動部材。
７１、７２、７４…ヒンジ。
７３、７５…リンク。
８０…圧縮バネ。
９０…ワイヤ部材。
９１…ワイヤ部材。
９０１…回動部材。
９１１…回動部材。
９２…ロッド部材。
９３…ロッド部材。
９２１…収容部。
９３１…収容部。
９４…テープ材。
９５…固定具。
９６…第２のロッド部材。
９７…第２のロッド部材。
９６１…収容部。
９７１…収容部。
ｘ１、ｘ２、ｘ３、ｘ４、ｘ５、ｘ６…交差点。
【図１】
0004273281.tif 000002
【図２】
0004273281.tif 000003
【図３】
0004273281.tif 000004
【図４】
0004273281.tif 000005
【図５】
0004273281.tif 000006
【図６】
0004273281.tif 000007
【図７】
0004273281.tif 000008
【図８】
0004273281.tif 000009
【図９】
0004273281.tif 000010